(57)【特許請求の範囲】
【請求項１】
床材と、目地材を備え、床材は上側突部同士が隙間を空けて並べてあり、目地材は、表面部材と支持部材とから成り、支持部材は、上方に向けて開口する溝状部と、抜け止め片を有し、抜け止め片は、床材の上側突部同士の隙間間隔よりも幅狭から幅広に弾性変形して復元するものであり、表面部材は、上端部よりも下部を、支持部材の溝状部に係合し、表面部材と支持部材が一体になっており、支持部材の溝状部のところで床材の上側突部同士の隙間に挟持されており、表面部材の上端部と床材の上側突部同士の隙間の上端間に離隔部を設けてあって、かつ表面部材の上端部が床材の上側突部同士の隙間及び支持部材を上側から覆っており、離隔部から床材の下面まで連通する排水経路を有しており、支持部材が床材の上側突部の各々の下面に対して抜け止めされていることを特徴とする床。
【発明の詳細な説明】
【技術分野】
【０００１】
本発明は、複数の床材を並べて構成されるデッキなどの床に関する。
【背景技術】
【０００２】
従来、住宅の庭先などに設けられるデッキは、骨組の上に、床板を間隔を空けて並べたものであった（非特許文献１）。
【先行技術文献】
【非特許文献】
【０００３】
【非特許文献１】「エクステリア建材ウォールエクステリアカタログ（ＳＴＷ０３０９Ａ）」、三協立山株式会社、２０１４年４月、ｐ．５６２、５６３
【発明の概要】
【発明が解決しようとする課題】
【０００４】
しかしながら、このようなデッキにおいては、床板同士の隙間からコインやカードなどが落ちるおそれがあることが問題であった。
【０００５】
本発明は、上記事情を鑑みたものであり、床材同士の隙間から物が落ちることを防いだ床を提供することを目的とする。
【課題を解決するための手段】
【０００６】
本発明は、床材と、目地材を備え、床材は上側突部同士が隙間を空けて並べてあり、目地材は、表面部材と支持部材とから成り、支持部材は、上方に向けて開口する溝状部と、抜け止め片を有し、抜け止め片は、床材の上側突部同士の隙間間隔よりも幅狭から幅広に弾性変形して復元するものであり、表面部材は、上端部よりも下部を、支持部材の溝状部に係合し、表面部材と支持部材が一体になっており、支持部材の溝状部のところで床材の上側突部同士の隙間に挟持されており、表面部材の上端部と床材の上側突部同士の隙間の上端間に離隔部を設けてあって、かつ表面部材の上端部が床材の上側突部同士の隙間及び支持部材を上側から覆っており、離隔部から床材の下面まで連通する排水経路を有しており、支持部材が床材の上側突部の各々の下面に対して抜け止めされていることを特徴とする
【発明の効果】
【０００７】
本発明によれば、表面部材が床材同士の隙間を上側から覆っているので、コインやカードなどの物が落ちにくく、かつ、床材の上面から下面に至る排水経路を有しているので、床材の上面に雨水がたまりにくい。また、支持部材は表面部材に覆われて見えないので、意匠性が良好である。
【図面の簡単な説明】
【０００８】
【図１】第一実施形態の目地材部分の縦断面図である。
【図２】第一実施形態の目地材部分の斜視図である。
【図３】第一実施形態の縦断面図である。
【図４】第一実施形態の目地材の取付方法の説明図である。
【図５】第二実施形態の目地材部分の斜視図である。
【図６】第三実施形態の目地材部分の縦断面図である。
【図７】比較例の目地材部分の縦断面図である。
【発明を実施するための形態】
【０００９】
以下、本発明の実施の形態を図面に基づいて説明する。なお、以下において左右とは、図１及び図３における左右方向を示す。この床の第一実施形態は、住宅の庭先などに設けられるデッキであって、複数の床材１を並べて構成してある。より詳しくは、図３に示すように、設置面に所定間隔で束石７を並べて設置してあり、各束石７に束柱８を立設してあって、複数の束柱８に跨って左右方向に水平に延びる大引９を横架してある。そして、平行に並ぶ大引９の上側に、大引９と直交する向きに延びる床材１を載置してあり、大引９が延びる方向（左右方向）に沿って複数の床材１を並べてある。床材１は、中空平板状のものであって、図１〜図３に示すように、側面（長手方向に平行な面）の上端部及び下端部に、それぞれ側方に向けて突出し長手方向に延びる上側突部１１及び下側突部１２を形成してあり、上側突部１１の方が下側突部１２よりも突出幅が大きくなっている。そして、隣接する床材１において、上側突部１１同士の間に間隔を空けてある（下側突部１２同士の間はより広い間隔となる）。なお、床材１は、ゲタ形の固定金具１３を下側突部１２に係合させ、固定金具１３を大引９にネジ止めすることで固定してある。床材１を並べて設置する際には、一つの床材１を設置して固定金具１３で固定し、隣接する床材１の下側突部１２を固定金具１３に潜り込ませるようにする。この際、下側突部１２の下面にテーパを付けてあるので、潜り込ませやすくなっている。また、上側突部１１の上面にも、テーパを付けてある。
【００１０】
そして、床材１同士の隙間に目地材２を挿入してある。目地材２は、図１及び図２に示すように、表面部材３と、支持部材４を有している。表面部材３は、アルミ製であって、水平板状の水平部３１と、水平部３１の左右方向中央から下向きに延びる垂直板状の垂直部３２からなる断面略Ｔ字状のものであり、垂直部３２の下端に、垂直部３２よりも左右に幅広で下向きに先窄まりとなる係合部３３を形成してある。水平部３１の左右幅は、床材１の上側突部１１同士の隙間よりも僅かに狭い。一方、支持部材４は、弾性を有する樹脂製であって、表面部材３の垂直部３２を左右から挟む二枚の平板状の挟持部４１と、挟持部４１の下端から下向きに八の字状に広がって延びる落ち止め片４２と、左右の挟持部４１の下部からそれぞれ斜め上向きに延びる抜け止め片４３と、左右の挟持部４１の上部からそれぞれ水平向きに延びる当接片４４を有しており、二枚の挟持部４１の間の溝状部４５の下端に、溝状部４５よりも左右に幅広の被係合部４６を形成してある。なお、二枚の挟持部４１は、表面部材３の垂直部３２よりも上下に短い。また、左右の落ち止め片４２の先端（下端）同士の間隔は、隣接する床材１の下側突部１２同士の間隔よりも広く、左右の抜け止め片４３の先端（上端）同士の間隔は、隣接する床材１の上側突部１１同士の間隔よりも広い。さらに、図２に示すように、表面部材３は床全体の一端から他端まで延びる通し部材であるのに対し、支持部材４は短い部材であり、一本の表面部材３に対して、所定間隔を空けて複数個取り付けてある。
【００１１】
この目地材２は、床材１を並べて設置した後に取り付けるものであり、図４（ａ）に示すように、まず、表面部材３の垂直部３２を支持部材４の溝状部４５に挿入して、左右の挟持部４１で垂直部３２を挟み、係合部３３を被係合部４６に係合させて、表面部材３と支持部材４を一体にする。なお、支持部材４は、表面部材３の長さに応じて、所定間隔で複数個取り付ける。そして、図４（ｂ）に示すように、支持部材４の落ち止め片４２を左右から挟むようにして変形させ、下端部から床材１同士の隙間に挿入する。支持部材４は弾性を有するものであるから、図１に示すように、落ち止め片４２は、床材１の上側突部１１同士の間を通過すると、八の字状に復元し、左右に広がった先端（下端）が、左右の下側突部１２にそれぞれ上側から係止する。また、落ち止め片４２が下側突部１２に係止するまで目地材２を挿入すると、抜け止め片４３も上向きに変形して上側突部１１同士の間を通過し、上側突部１１の下側で、斜め上向き形状に復元する。さらに、当接片４４も上向きに変形して、上側突部１１に当接した状態となり、挟持部４１の上端も上側突部１１同士の間に位置する。そしてこの際、表面部材３の水平部３１は、上側突部１１の上面の縁部（テーパを付けてあるので、床材１の上面よりも下側である）と略同じ高さに位置する。このようにして取り付けると、支持部材４の落ち止め片４２が床材１の下側突部１２に係止して上下に位置決めされるとともに、当接片４４が床材１の上側突部１１に当接して、支持部材４の挟持部４１及び表面部材３の垂直部３２が床材１の上側突部１１に挟持され、左右の床材１同士の隙間の中央に位置決めされる。また、目地材２を上側に引き抜く方向に力が作用しても、支持部材４の抜け止め片４３が上側突部１１に下側から係止するので、目地材２が抜けることはない。さらに、表面部材３の水平部３１が床材１の上側突部１１同士の隙間及び支持部材４を上側から覆っているが、表面部材３が床材１の上側突部１１同士の隙間の中央に位置しており、かつ水平部３１の左右幅が隙間よりも僅かに狭いので、表面部材３の水平部３１と左右の床材１の上側突部１１の間に僅かな幅の離隔部５が形成される。そして、図１及び図２に示すように、支持部材４又は固定金具１３を設けた箇所以外の位置では、離隔部５から、床材１の上側突部１１同士の隙間及び下側突部１２同士の隙間を通って、床材１の下面までが連通しており、この経路が、床材１の上面の水が流れ落ちる排水経路６となっている。
【００１２】
このように構成した床の第一実施形態によれば、表面部材３の水平部３１が床材１同士の隙間を上側から覆っているので、コインやカードなどの物が落ちにくく、かつ、床材１の上面から下面に至る排水経路６を有しているので、床材１の上面に雨水がたまりにくい。また、支持部材４は表面部材３に覆われて見えないので、意匠性が良好である。さらに、表面部材３と支持部材４を一体にして、支持部材４の落ち止め片４２を変形させて床材１同士の隙間に挿入するだけで目地材２を取り付けることができるので、施工が容易である。そして、取り付け後は、落ち止め片４２が床材１の下側突部１２に上側から係止し、抜け止め片４３が床材１の上側突部１１に下側から係止し、当接片４４が上側突部１１に当接するので、目地材２が確実に位置決めして固定され、意図せず上下に抜けることもない。さらに、大きな力を加えれば、抜け止め片４３を変形させて目地材２を上側に引き抜くことも可能であり、目地材２を引き抜けば、その下側の固定金具１３を固定するネジの操作も可能であって、これにより、任意の床材１のみを取り外すこともできるので、メンテナンス性も良好である。
【００１３】
次に、図５に基づき、本発明の床の第二実施形態について説明する。第一実施形態と異なるのは目地材２のみであるから、その点についてのみ説明する。第二実施形態の目地材２において、表面部材３は、第一実施形態と同様のものであり、支持部材４は、第一実施形態と同様の断面形状のものであって、表面部材３と同じく床の全長にわたる長さのものである。そして、支持部材４の長手方向の一部分において、上側から挟持部４１及び落ち止め片４２の上端部までを矩形に切り欠いた切欠部４７を形成してある。これにより、離隔部５から、上側突部１１同士の隙間及び切欠部４７を通り、さらに床材１の下側突部１２同士の隙間を通って、床材１の下面までが連通しており、この経路が、排水経路６となっている。なお、切欠部４７は、支持部材４の長さに応じて、適宜複数箇所に設けてもよい。そして、このように構成した床の第二実施形態も、第一実施形態と同様の作用効果を奏する。
【００１４】
次に、図６に基づき、本発明の床の第三実施形態について説明する。第一実施形態と異なるのは目地材２のみであるから、その点についてのみ説明する。第三実施形態の目地材２も、表面部材３と、支持部材４を有している。表面部材３は、アルミ製であって、水平板状の水平部３１と、水平部３１の左右方向中央から下向きに延びる垂直板状の垂直部３２からなる断面略Ｔ字状のものであり、垂直部３２の下端に、垂直部３２よりも左右に幅広で下向きに先窄まりとなる係合部３３を形成してある。水平部３１の左右幅は、床材１の上側突部１１同士の隙間よりも広い。一方、支持部材４は、弾性を有する樹脂製であって、表面部材３の垂直部３２を左右から挟む二枚の平板状の挟持部４１と、左右の挟持部４１の下部からそれぞれ斜め上向きに延びる抜け止め片４３と、左右の挟持部４１の上部からそれぞれ水平向きに延びる当接片４４を有しており、二枚の挟持部４１の間の溝状部４５の下端に、溝状部４５よりも左右に幅広の被係合部４６を形成してある。なお、第一実施形態の支持部材４と比較して、左右の挟持部４１がより上向きに延出しており、この延出部分が、落ち止め片４２となっている。また、左右の抜け止め片４３の先端（上端）同士の間隔は、隣接する床材１の上側突部１１同士の間隔よりも広い。さらに、表面部材３は床全体の一端から他端まで延びる通し部材であるのに対し、支持部材４は短い部材であり、一本の表面部材３に対して、所定間隔を空けて複数個取り付けてある。
【００１５】
この目地材２は、床材１を並べて設置した後に取り付けるものであり、まず、表面部材３の垂直部３２を支持部材４の溝状部４５に挿入して、左右の挟持部４１で垂直部３２を挟み、係合部３３を被係合部４６に係合させて、表面部材３と支持部材４を一体にする。この際、挟持部４１の上端の落ち止め片４２は水平部３１に到達し、垂直部３２から水平部３１に沿って左右に湾曲している。なお、支持部材４は、表面部材３の長さに応じて、所定間隔で複数個取り付ける。そして、支持部材４の下端部から床材１同士の隙間に挿入する。支持部材４は弾性を有するものであるから、抜け止め片４３が上向きに変形して上側突部１１同士の間を通過し、上側突部１１の下側で、斜め上向き形状に復元する。さらに、当接片４４も上向きに変形して、上側突部１１に当接した状態となり、落ち止め片４２が、床材１の上側突部１１の上面と、表面部材３の水平部３１の下面に挟持される。そしてこの際、表面部材３の水平部３１は、床材１の上面と略同じ高さに位置する。このようにして取り付けると、支持部材４の落ち止め片４２が床材１の上側突部１１と表面部材３の水平部３１に挟持され、さらに当接片４４が床材１の上側突部１１に当接して、支持部材４の挟持部４１及び表面部材３の垂直部３２が床材１の上側突部１１に挟持されて、上下左右に位置決めされる。また、目地材２を上側に引き抜く方向に力が作用しても、支持部材４の抜け止め片４３が上側突部１１に下側から係止するので、目地材２が抜けることはない。さらに、表面部材３の水平部３１の左右幅が床材１の上側突部１１同士の隙間よりも広く、隙間及び支持部材４を上側から完全に覆っているが、水平部３１と上側突部１１の間に落ち止め片４２を挟んでいるので、水平部３１と左右の上側突部１１の間に落ち止め片４２の厚さ分の幅の離隔部５が形成される。そして、支持部材４又は固定金具１３を設けた箇所以外の位置では、離隔部５から、床材１の上側突部１１同士の隙間及び下側突部１２同士の隙間を通って、床材１の下面までが連通しており、この経路が、床材１の上面の水が流れ落ちる排水経路６となっている。
【００１６】
このように構成した床の第三実施形態によれば、表面部材３の水平部３１が床材１同士の隙間を上側から完全に覆っているので、コインやカードなどの物が落ちにくく、かつ、床材１の上面から下面に至る排水経路６を有しているので、床材１の上面に雨水がたまりにくい。また、支持部材４は表面部材３に覆われて見えないので、意匠性が良好である。さらに、表面部材３と支持部材４を一体にして床材１同士の隙間に挿入するだけで目地材２を取り付けることができるので、施工が容易である。そして、取り付け後は、落ち止め片４２が床材１の上側突部１１と表面部材３の水平部３１に挟持され、抜け止め片４３が床材１の上側突部１１に下側から係止し、当接片４４が上側突部１１に当接するので、目地材２が確実に位置決めして固定され、意図せず上下に抜けることもない。さらに、大きな力を加えれば、抜け止め片４３を変形させて目地材２を上側に引き抜くことも可能であり、目地材２を引き抜けば、その下側の固定金具１３を固定するネジの操作も可能であって、これにより、任意の床材１のみを取り外すこともできるので、メンテナンス性も良好である。
【００１７】
次に、図７に基づき、本発明の床に対する比較例について説明する。比較例は、床材１と、目地材２を備え、床材１は、側面上部に上側突部１１を有しており、上側突部１１同士に間隔を空けて床材１を並べてあり、目地材２は、表面部２１と、表面部２１より下方に位置する固定部２２と、表面部２１と固定部２２を連結する連結部２３を有しており、固定部２２を並んだ床材１の対向する側面の一方にネジ止めしてあり、表面部２１が床材１の上側突部１１同士の間に位置し、かつ両上側突部１１と離隔するようにしてある。より詳しくは、床材１については第一実施形態と同様であり、目地材２のみが異なるものであるから、その点についてのみ説明する。比較例の目地材２は、アルミ製であって、水平板状の表面部２１と、表面部２１より下方左側に位置する垂直板状の固定部２２と、表面部２１の左側部と固定部２２の上端部を連結するＬ字アングル状の連結部２３を一体に形成したものであり、床全体の一端から他端まで延びる通し部材である。表面部２１の左右幅は、床材１の上側突部１１同士の隙間と同じである。また、連結部２３の水平部分には、上下に貫通する水抜孔２４を形成してあり、水抜孔２４は、目地材２の長手方向にわたって、所定間隔で複数個設けてある。
【００１８】
この目地材２は、床材１を並べて設置する前に取り付けるものであり、まず、目地材２の固定部２２を、床材１の側面（上側突部１１と下側突部１２の間）にネジ止めする。この際、表面部２１が、上側突部１１の上面の縁部よりも僅かに上側に位置するように、ネジ止めの高さ位置を定める。また、表面部２１の床材１側端（左端）と、上側突部１１の縁部の左右位置が一致する。その後、床材１を並べて設置するが、まず、隣接する床材１のうち、目地材２を取り付けていない方の床材１（図７では右側の床材１）を設置して、固定金具１３を下側突部１２に係合させ、大引９にネジ止めして固定する。次に、目地材２を取り付けた方の床材１（図７では左側の床材１）の下側突部１２を固定金具１３に潜り込ませるようにして設置する。そして、この床材１の目地材２を取り付けた側の反対側を、固定金具１３で固定し、さらに、別の目地材２を取り付けた床材１を設置する。これを繰り返して、床を構成する。このようにして取り付けると、目地材２の表面部２１が床材１の上側突部１１同士の間に位置し、表面部２１の左右幅が床材１の上側突部１１同士の隙間と同じで、隙間及び目地材２の連結部２３を上側から完全に覆っているが、表面部２１が上側突部１１の上面の縁部よりも僅かに上側に位置しているので、表面部２１と左右の上側突部１１の間に離隔部５が形成される。そして、右側の離隔部５から、床材１の上側突部１１同士の隙間及び下側突部１２同士の隙間を通って、床材１の下面までが連通しており、左側の離隔部５から、床材１の上側突部１１同士の隙間及び連結部２３の水抜孔２４を通り、さらに下側突部１２同士の隙間を通って、床材１の下面までが連通しており、これらの経路が、床材１の上面の水が流れ落ちる排水経路６となっている。
【００１９】
このように構成した床の比較例によれば、目地材２の表面部２１が床材１同士の隙間を上側から完全に覆っているので、コインやカードなどの物が落ちにくく、かつ、床材１の上面から下面に至る排水経路６を有しているので、床材１の上面に雨水がたまりにくい。また、目地材２の表面部２１以外の部分は表面部２１に覆われて見えないので、意匠性が良好である。しかしながら、比較例の目地材２は、ネジ止めによって取り付けなければならず、この点において、目地材２を床材１同士の隙間に挿入するだけで取り付けられる本発明の方が、施工性が良い。また、床材１が固定された状態で、目地材２だけを取り外すことはできない。そして、床材１を取り外す際には、端部の床材１から順に取り外さなければならず、任意の床材１のみを取り外すことはできないので、この点において、目地材２だけを取り外すことが可能で、任意の床材１のみを取り外すこともできる本発明の方が、メンテナンス性が良い。
【００２０】
本発明は、上記の実施形態に限定されない。たとえば、目地材において、表面部材は、床材同士の隙間及び支持部材を上側から覆うものであればよく、また、支持部材は、表面部材を所定の位置に支持できるものであればよく、何れも、上記の実施形態とは異なる形状や構造を有するものであってもよい。また、本発明の床は、住宅の庭先などに設けられるデッキの他、種々の用途に用いることができる。
【符号の説明】
【００２１】
１  床材
２  目地材
３  表面部材
４  支持部材
５  離隔部
６  排水経路
【図１】
0006687355.tif 000002
【図２】
0006687355.tif 000003
【図３】
0006687355.tif 000004
【図４】
0006687355.tif 000005
【図５】
0006687355.tif 000006
【図６】
0006687355.tif 000007
【図７】
0006687355.tif 000008